(57)【要約】      （修正有） 【課題】振動伝動カップ底面にクラックが発生することを防ぎ、使用上の耐用性を高めるマイナスイオン芳香散布装置の振動伝動カップ底面の融裂防止機構を提供する。【解決手段】外部底面に振動手段収納室４０１'を形成した振動伝動カップ４０１と、放熱回路板４０３と、及びシリコンゴム座４０４ａ内に振動子４０４ｂを嵌設してなる振動手段４０４とを含んでなる振動ユニット４０２と、該振動伝動カップと該振動ユニットとの間に設ける防水フィルム４０６と及び金属キャップ４０５と、を含んでなり、該防水フィルムがシリコンゴムによってなり、中心に孔部が形成されるとともに、上面には複数の凸点４０６'が半径方向に並んで形成され、かつ半径方向に並ぶ該凸点の列が円周に沿って複数形成され、該金属キャップがカップを上下転倒させた形状を呈し、かつ上端に通過孔４０５ａを形成し、該振動手段収納室に冠着し、該振動手段が該金属キャップに緊密に嵌合し、かつ該防水フィルムと該金属キャップとが緊密に接する。【選択図】図３
0003209345.tif 000002
【実用新案登録請求の範囲】
【請求項１】
外部底面に振動手段収納室を形成した振動伝動カップと、
放熱回路板と、及びシリコンゴム座内に振動子を嵌設してなる振動手段とを含んでなる振動ユニットと、
該振動伝動カップと該振動ユニットとの間に設ける防水フィルムと及び金属キャップと、を含んでなり、
該防水フィルムがシリコンゴムによってなり、中心に孔部が形成されるとともに、上面には複数の凸点半径方向に並んで形成され、かつ半径方向に並ぶ該凸点の列が円周に沿って複数形成され、
該金属キャップがカップを上下転倒させた形状を呈し、かつ上端に通過孔を形成し、該振動手段収納室に冠着し、
該振動手段が該金属キャップに緊密に嵌合し、かつ該防水フィルムと該金属キャップとが緊密に接することを特徴とするマイナスイオン芳香散布装置の振動伝動カップ底面の融裂防止機構。
【請求項２】
前記金属キャップが高い延伸性と強度とを具える金属材をプレス成型してなり、かつ該金属キャップの底端縁部に複数の切り欠き部を形成するか、もしくは該金属キャップの底端縁部を高くして、該振動手段収納室の底端縁部を低くし、
該振動伝動カップを射出成型する場合に、同時に該振動手段収納室を被覆して一体に成形することを特徴とする請求項１に記載のマイナスイオン芳香散布装置の振動伝動カップ底面の融裂防止機構。
【請求項３】
前記振動伝動カップと該振動手段収納室とを金属材で一体に鋳造成形することを特徴とする請求項１に記載のマイナスイオン芳香散布装置の振動伝動カップ底面の融裂防止機構。
【考案の詳細な説明】
【技術分野】
【０００１】
この考案は、芳香分子を散布芳香散布装置に関し、特にマイナスイオン芳香散布装置の振動伝動カップ底面の融裂防止機構に関する。
【背景技術】
【０００２】
アロマ療法は、夙に研究されていて、その沿革、応用、発展などは多くのメディアで報道されている。これら報道で取り上げられている事例から見れば、アロマ療法が正規の治療法に取って代わることができるかについては依然として保留されているものの、プラスの評価を得ていることから、状況は楽観的といえる。ましてや、人体に対して普遍的名療養効果を本当にもたらすかはさておき、屋内の環境で適宜なアロマオイルを選択して香りを漂わせさえすれば、香りによって自然と人の心が和み、甚だしくはひとの心を落ち着かせることができる。そして人々は、心が落ち着くことによって不快感を軽減させることができ、何かをする場合も楽に行うことができ、心の知能指数を高めて感情を制御できるなど、多くの利点が挙げられる。
【０００３】
従来のアロマオイルを用いて芳香分子を空中に散布する方法として加熱方（蝋燭点火／電熱）、イソプロピル・アルコール薫香法、マイクロ酸素含有薫香法などが挙げられる。但し、これら方法は加熱による焼損の危険性が普遍的に存在する。また、芳香分子の過多はオゾンを発生させ、環境に不利な種々の要素となる。よって、専門家の間では使用をやめるよう求める声が聞かれる。
【０００４】
近年、電力を利用して振動周波数を発生させ、アロマオイルを滴下させた混合液を急速な振動によって霧化し、微粒子を散布する超音波芳香法が開発された。これは、加熱による危害のない方法であって、アロマオイルの微粒子化を加速させて散布するための最も好ましい方法である。然しながら、超音波芳香法を応用するために製造された超音波芳香装置は、十分な効果を発揮しているとは言い難い。
【０００５】
図１は従来の超音波式芳香散布装置の外観を示した斜視図であって、図２は図１に開示する超音波式芳香散布装置の構造を示した断面図である。図面に開示するように、従来の超音波式芳香散布装置は、ハウジング３０と、気体収集ユニット２０と、ノズル１０と、電力制御セット４０とを具える。
【０００６】
ハウジング３０には、振動伝動カップ３０１と、アロマオイル収納カップ３０４とを内設する。振動伝動カップ３０１の外部底面には振動手段収納室３０'を形成するとともに、振動手段収納室３０'に嵌設する振動手段３０２ａと放熱回路板３０２ｂとによってなる振動ユニット３０２をネジで固定する。放熱回路板３０２ｂには、感知スティック３０２ｂ'を突設する。振動ユニット３０２の下方には、ファン３０３を設ける。
【０００７】
上述する超音波式芳香散布装置を使用する場合は、先ず振動伝動カップ３０１に水を入れる。水位は感知スティック３０２ｂ'の高さを超えなければならない。次いで、アロマオイル収納カップ３０４にアロマオイル混合水を八分目入れてハウジング３０内に設置し、電力制御セット４０を作動させて振動ユニット３０２を起動させると、アロマオイル収納カップ３０４内のアロマオイル混合水が瞬時に霧化し、ファン３０３の送風の作用によって微粒子化したアロマオイル混合水の分子が気体収集ユニット２０を経て上昇し、ノズル１０から吐出される。よって、芳香分子の散布と、室内の空気に湿度を補充するという目的を達成することができる。このため、空気関連の市場で好評を博している。
【０００８】
図２Ａは、一部を切り欠いた振動伝動カップと、振動手段とを示した説明図であって、図２Ｂは底面側から見た振動伝動カップと、振動手段を示した説明図である。図面から明らかなように、振動伝動カップ３０１は、外部底面に振動手段３０２ａが嵌設される振動手段収納室３０'を形成する。振動手段３０２ａは、振動子３０２ａ２を内部に嵌設したシリコンゴム座３０２ａ１を具え、振動ユニット３０２は振動手段３０２ａと放熱回路板３０２ｂとを含んでなり、かつ振動伝動カップ３０１の外部底面にネジで固定される。
【０００９】
上述する従来の超音波式芳香散布装置を実施した関連製品について、本考案者が絶え間なくテストと研究を行った結果、依然として若干の欠点が存在することが判明した。即ち、図２Ｃは従来の振動傳伝動カップを示した説明図であるが、図面から明らかなように、上述する従来の超音波式芳香散布装置を長時間使用した場合、振動ユニットが高周波数振動（毎秒２４０万回）を発生させるため、発生する温度と周波数が振動伝動カップ３０１の外部底面に形成した振動手段収納室３０'に熱融蝕によるクラック３０"が発生し、超音波式芳香散布装置の作動の不良と、液体の漏出を容易に招き、購買してから修理を要求しなければならない状況に陥る。
【考案の概要】
【考案が解決しようとする課題】
【００１０】
この考案は、振動ユニットを長時間使用することから振動伝動カップ底面に熱融裂によるクラックが発生することを防ぎ、使用上の耐用性を高めるマイナスイオン芳香散布装置の振動伝動カップ底面の融裂防止機構を提供することを課題とする。
【００１１】
また。この考案は振動の伝動効率を高め、液体の漏れを防ぎ、装置の品質の安定性を高め、歩留まりを高めるとともに、購買した後の修理に必要とする時間と費用を省くマイナスイオン芳香散布装置の振動伝動カップ底面の融裂防止機構を提供することを課題とする。
【課題を解決するための手段】
【００１２】
そこで、本考案者は従来の芳香散布装置に見られる欠点に鑑み鋭意研究を重ねた結果、外部底面に振動手段収納室を形成した振動伝動カップと、放熱回路板と、及びシリコンゴム座内に振動子を嵌設してなる振動手段とを含んでなる振動ユニットと、該振動伝動カップと該振動ユニットとの間に設ける防水フィルムと及び金属キャップと、を含んでなり、
該防水フィルムがシリコンゴムによってなり、中心に孔部が形成されるとともに、上面には複数の凸点半径方向に並んで形成され、かつ半径方向に並ぶ該凸点の列が円周に沿って複数形成され、該金属キャップがカップを上下転倒させた形状を呈し、かつ上端に通過孔を形成し、該振動手段収納室に冠着し、該振動手段が該金属キャップに緊密に嵌合し、かつ該防水フィルムと該金属キャップとが緊密に接するマイナスイオン芳香散布装置の振動伝動カップ底面の融裂防止機構によって課題を解決でできる点に着眼し、係る知見に基づいて本考案を完成させた。
【００１３】
以下この考案について説明する。請求項１に記載するマイナスイオン芳香散布装置の振動伝動カップ底面の融裂防止機構は、外部底面に振動手段収納室を形成した振動伝動カップと、
放熱回路板と、及びシリコンゴム座内に振動子を嵌設してなる振動手段とを含んでなる振動ユニットと、
該振動伝動カップと該振動ユニットとの間に設ける防水フィルムと及び金属キャップと、を含んでなり、
該防水フィルムがシリコンゴムによってなり、中心に孔部が形成されるとともに、上面には複数の凸点半径方向に並んで形成され、かつ半径方向に並ぶ該凸点の列が円周に沿って複数形成され、
該金属キャップがカップを上下転倒させた形状を呈し、かつ上端に通過孔を形成し、該振動手段収納室に冠着し、
該振動手段が該金属キャップに緊密に嵌合し、かつ該防水フィルムと該金属キャップとが緊密に接する。
【００１４】
請求項２に記載するマイナスイオン芳香散布装置の振動伝動カップ底面の融裂防止機構は、請求項１における金属キャップが高い延伸性と強度とを具える金属材をプレス成型してなり、かつ該記金属キャップの底端縁部に複数の切り欠き部を形成するか、もしくは該金属キャップの底端縁部を高くして、該振動手段収納室の底端縁部を低くし、
該振動伝動カップを射出成型する場合に、同時に該振動手段収納室を被覆して一体に成形する。
【００１５】
請求項３に記載するマイナスイオン芳香散布装置の振動伝動カップ底面の融裂防止機構は、請求項１における振動伝動カップと該振動手段収納室とを金属材で一体に鋳造成形する。
【図面の簡単な説明】
【００１６】
【図１Ａ】従来の超音波式芳香散布装置の外観を示した斜視図である。
【図１Ｂ】図１に開示する超音波式芳香散布装置の断面構造を示した説明図である。
【図２Ａ】従来の超音波式芳香散布装置における振動伝動カップと振動ユニットとを示した説明図である。
【図２Ｂ】従来の超音波式芳香散布装置における振動伝動カップと振動ユニットとを底面側から見た説明図である。
【図２Ｃ】従来の超音波式芳香散布装置における振動伝動カップを示した説明図である。
【図３】この考案によるマイナスイオン芳香散布装置の振動伝動カップ底面の融裂防止機構の構造を示した分解図である。
【図４】この考案によるマイナスイオン芳香散布装置の振動伝動カップ底面の融裂防止機構の側面構造を示した説明図である。
【図５】この考案によるマイナスイオン芳香散布装置の振動伝動カップ底面の融裂防止機構の構造を示した断面図である。
【図６Ａ】第２の実施の形態によるマイナスイオン芳香散布装置の振動伝動カップ底面の融裂防止機構の構造を示した説明図である。
【図６Ｂ】第２の実施の形態によるマイナスイオン芳香散布装置の振動伝動カップ底面の融裂防止機構の局部構造を示した他の説明図である。
【図７Ａ】第３の実施の形態によるマイナスイオン芳香散布装置の振動伝動カップ底面の融裂防止機構の構造を示した説明図である。
【図７Ｂ】第３の実施の形態によるマイナスイオン芳香散布装置の振動伝動カップ底面の融裂防止機構の局部構造を示した他の説明図である。
【図８】第４の実施の形態によるマイナスイオン芳香散布装置の振動伝動カップ底面の融裂防止機構における振動伝動カップを示した説明図である。
【考案を実施するための形態】
【００１７】
この考案は、振動ユニットを長時間使用することから振動伝動カップ底面に熱融裂によるクラックが発生することを防ぎ、使用上の耐用性を高めるマイナスイオン芳香散布装置の振動伝動カップ底面の融裂防止機構を提供するものであって、外部底面に振動手段収納室を形成した振動伝動カップと、放熱回路板と、及びシリコンゴム座内に振動子を嵌設してなる振動手段とを含んでなる振動ユニットと、該振動伝動カップと該振動ユニットとの間に設ける防水フィルムと及び金属キャップと、を含んでなり、
該防水フィルムがシリコンゴムによってなり、中心に孔部が形成されるとともに、上面には複数の凸点半径方向に並んで形成され、かつ半径方向に並ぶ該凸点の列が円周に沿って複数形成され、該金属キャップがカップを上下転倒させた形状を呈し、かつ上端に通過孔を形成し、該振動手段収納室に冠着し、該振動手段が該金属キャップに緊密に嵌合し、かつ該防水フィルムと該金属キャップとが緊密に接する。係るマイナスイオン芳香散布装置の振動伝動カップ底面の融裂防止機構の構造と特徴を説明するために、具体的な実施例を挙げ、図面を参照にして以下に詳述する。
【実施例１】
【００１８】
図３は、この考案によるマイナスイオン芳香散布装置の振動伝動カップ底面の融裂防止機構の分解構造を示した説明図であって、図４は断面構造を示した説明図である。図面の開示から明らかなように、この考案によるマイナスイオン芳香散布装置の振動伝動カップ底面の融裂防止機構は、外部底面に振動手段収納室４０１'を形成した振動伝動カップ４０１と、振動ユニット４０２とを含んでなる。
【００１９】
振動ユニット４０２は、放熱回路板４０３と、及びシリコンゴム座４０４ａ内に振動子４０４ｂを嵌設してなる振動手段４０４とによってなる。
【００２０】
この考案の特徴は、振動伝動カップ４０１と、振動ユニット４０２との間に防水フィルム４０６と、及び金属キャップ４０５を設けたことにある。防水フィルム４０６はシリコンゴムによるフィルムであって、中心に孔部が形成されドーナッツ状を呈するとともに、上面には複数の凸点４０６'が半径方向に並んで形成され、かつ半径方向に並ぶ凸点４０６'の列が円周に沿って複数形成される。
【００２１】
金属キャップ４０５は、延伸性と強度とを具える金属材をプレス加工して成形し、カップを上下転倒させた形状を呈し、かつ上端に通過孔４０５ａを形成し、振動手段収納室４０１'に冠着する。
【００２２】
図５は、振動カップ４０１の底部の断面図である。図面に開示するように、振動手段４０４を設けて固定する場合は、金属キャップ４０５内に緊密に嵌合させる。防水フィルム４０６と金属キャップ４０５とが緊密に接することにより、凸点４０６'が効率よく隔離の作用をなし、液体が漏れにくくなる。このため、振動ユニット４０２が長時間作動することによって発生する高温と高振動周波数の影響が振動伝動カップ４０１に及び熱融裂によるクラックの発生を防ぐことができ、耐久性を高める。
【実施例２】
【００２３】
図６Ａ、図６Ｂに第２の実施の形態を開示する。図面に開示するように、金属キャップ４０５の底端縁部に複数の切り欠き部４０５ｂを形成する。振動伝動カップ４０１を射出成型する場合に、同時に振動手段収納室４０１'を被覆して一体に成形することができる。振動手段収納室４０１'を構成するプラスチック材の内壁面の下端縁部で切り欠き部４０５ｂに対応する位置に凸起部４０５ｃが形成されて、凸起部４０５ｃが切り欠き部４０５ｂに嵌合した状態になる。よって、緊密に接することができる。
【実施例３】
【００２４】
図７Ａ、図７Ｂに第３の実施の形態を開示する。図面に開示するように、第３の実施の形態においては、金属キャップ４０５の底端縁部を高くして、振動手段収納室４０１'の底端縁部を低くする。よって、振動伝動カップ４０１を射出成型する場合、振動手段収納室４０１'を被覆して一体に成形し、振動手段収納室４０１'の底端縁部にプラスチック材環状凸起部４０５ｄを形成する。このため堅牢かつ緊密に被覆することができる。
【実施例４】
【００２５】
図８に第４の実施の形態を開示する。図面に開示するように、振動伝動カップ４０１と振動手段収納室４０１'とを金属材で一体に鋳造成形する。よって、必要に応じてさらに堅牢な構造とすることができる。
【００２６】
以上から明らかなように、この考案によるマイナスイオン芳香散布装置の振動伝動カップ底面の融裂防止機構は、従来の装置に対する改良の効果を確実に達成し、かつ如何なる文献にも公開されていなく、進歩性を具えたものである。
【符号の説明】
【００２７】
１０        ノズル
２０        気体収集ユニット
３０        ハウジング
３０’      振動手段収納室
３０”      クラック
３０１      振動伝動カップ
３０２      振動ユニット
３０２ａ    振動手段
３０２ａ１  シリコンゴム座
３０２ａ２  振動子
３０２ｂ    放熱回路
３０２ｂ’  感知スティック
３０３      ファン
３０４      アロマオイル収納カップ
４０        電力制御セット
４０１      振動伝動カップ
４０１’    振動手段収納室
４０２      振動ユニット
４０３      放熱回路
４０４      振動手段
４０４ａ    シリコンゴム座
４０４ｂ    振動子
４０５      金属キャップ
４０５ａ    通過孔
４０５ｂ    切り欠き部
４０５ｃ    凸起部
４０５ｄ    プラスチック材環状凸起部
４０６      防水フィルム
４０６’    凸点
【図１Ａ】
0003209345.tif 000003
【図１Ｂ】
0003209345.tif 000004
【図２Ａ】
0003209345.tif 000005
【図２Ｂ】
0003209345.tif 000006
【図２Ｃ】
0003209345.tif 000007
【図３】
0003209345.tif 000008
【図４】
0003209345.tif 000009
【図５】
0003209345.tif 000010
【図６Ａ】
0003209345.tif 000011
【図６Ｂ】
0003209345.tif 000012
【図７Ａ】
0003209345.tif 000013
【図７Ｂ】
0003209345.tif 000014
【図８】
0003209345.tif 000015